(57)【要約】【課題】氏名情報が正しく音声データに変換される可能性を高める。【解決手段】  漢字からなる氏名情報の音声データが登録された氏名辞書データベース３０と、漢字情報取込部１０にて取り込まれた氏名情報の音声データを氏名辞書データベース３０から検索する音声データ検索部４０と、音声データ検索部４０にて検索された音声データをテキストデータに変換するテキストデータ変換部５０と、仮名文字情報取込部２０にて取り込まれた氏名情報と、テキストデータ変換部５０にて変換されたテキストデータとを照合する氏名情報照合部７０と、氏名情報照合部７０における照合の結果、両者が一致した場合、音声データ検索部４０にて検索された音声データを出力し、両者が一致しない場合、仮名文字情報取込部２０にて取り込まれた氏名情報を音声データに変換して出力する音声データ変換部８０とを設ける。【選択図】図１
2005242112.tif 000002
【特許請求の範囲】
【請求項１】
テキストデータからなる氏名情報を音声データに変換する音声変換システムであって、
漢字からなる氏名情報を取り込む漢字情報取込手段と、
仮名文字からなる氏名情報を取り込む仮名文字情報取込手段と、
漢字からなる氏名情報の音声データが登録されたデータベースと、
前記漢字情報取込手段にて取り込まれた氏名情報の音声データを前記データベースから検索する検索手段と、
前記検索手段にて検索された音声データをテキストデータに変換するテキストデータ変換手段と、
前記仮名文字情報取込手段にて取り込まれた氏名情報と、前記テキストデータ変換手段にて変換されたテキストデータとを照合する氏名情報照合手段と、
前記氏名情報照合手段における照合の結果、両者が一致した場合、前記検索手段にて検索された音声データを出力し、両者が一致しない場合、前記仮名文字情報取込手段にて取り込まれた氏名情報を音声データに変換して出力する音声データ変換手段とを有する音声変換システム。
【請求項２】
請求項１に記載の音声変換システムにおいて、
前記テキストデータ変換手段にて変換されたテキストデータに拗音のための小文字が含まれている場合、該小文字を大文字に変換する文字変換手段を有し、
前記氏名情報照合手段は、前記仮名文字情報取込手段にて取り込まれた氏名情報と、前記文字変換手段にて変換されたテキストデータとを照合することを特徴とする音声変換システム。
【請求項３】
テキストデータからなる氏名情報を音声データに変換する音声変換システムであって、
漢字からなる氏名情報を取り込む漢字情報取込手段と、
仮名文字からなる氏名情報を取り込む仮名文字情報取込手段と、
漢字からなる氏名情報の読み方が、そのアクセント及びイントネーションを含めた状態で登録されたデータベースと、
前記漢字情報取込手段にて取り込まれた氏名情報の読み方を前記データベースから検索する検索手段と、
前記仮名文字情報取込手段にて取り込まれた氏名情報と、前記検索手段にて検索された読み方とを照合する氏名情報照合手段と、
前記氏名情報照合手段における照合の結果、両者が一致した場合、前記検索手段にて検索された読み方を音声データに変換し、両者が一致しない場合、前記仮名文字情報取込手段にて取り込まれた氏名情報を音声データに変換する音声データ変換手段とを有する音声変換システム。
【請求項４】
請求項３に記載の音声変換システムにおいて、
前記検索手段にて検索された読み方に拗音のための小文字が含まれている場合、該小文字を大文字に変換する文字変換手段を有し、
前記氏名情報照合手段は、前記仮名文字情報取込手段にて取り込まれた氏名情報と、前記文字変換手段にて変換された読み方とを照合することを特徴とする音声変換システム。
【発明の詳細な説明】
【技術分野】
【０００１】
本発明は、テキストデータからなる氏名情報を音声データに変換する音声変換システムに関する。
【背景技術】
【０００２】
近年、情報の電子化が進み、様々な文書が電子ドキュメント化されて取り扱われるようになってきている。また、氏名等の個人情報が記載された帳票類においても、電子ドキュメント化されて取り扱われることが増えてきている。
【０００３】
このように、電子ドキュメント化された文書においては、さらに音声データに変換することによって文書の出力形態を多様化することができ、そのための手段として、単語辞書を用いてテキストデータを音声データに変換する装置が考えられている（例えば、特許文献１，２参照。）。
【０００４】
また、電子ドキュメント化された文書においては、その文書の提供先の氏名情報を音声データに変換して付与することにより、電子ドキュメント化された文書をパーソナルな電子ドキュメントとして提供することができるようになる。
【特許文献１】特開２００１−３５０４９０号公報
【特許文献２】特開２００１−２４９６７７号公報
【発明の開示】
【発明が解決しようとする課題】
【０００５】
しかしながら、氏名情報においては、漢字の読み方が単語辞書では特定できないようなものが存在するため、漢字からなる氏名情報を単語辞書を用いて音声データに変換した場合、誤った音声データを出力してしまう虞れがある。そこで、仮名文字からなる氏名情報を音声データに変換することが考えられるが、その場合、アクセントやイントネーションが本来のものとは異なって出力されてしまうという問題点がある。
【０００６】
また、氏名情報が登録された氏名辞書を用いて、漢字からなる氏名情報を音声データに変換することも考えられるが、その場合においても、漢字からなる氏名情報には様々な読み方があるため、誤った音声データを出力してしまう虞れがある。
【０００７】
また、氏名情報として仮名文字に類似した漢字が用いられている場合、その文字が仮名文字として認識されてしまう虞れがある。例えば、「工藤」という氏名情報について、漢字の「工」が片仮名の「エ」と認識されてしまう虞れがあり、その場合、印字出力においては大きな問題とはならないが、音声として出力される場合は、「くどう」が「えとう」として出力されてしまうことになる。
【０００８】
本発明は、上述したような従来の技術が有する問題点に鑑みてなされたものであって、テキストからなる氏名情報を音声データに変換する音声変換システムであって、氏名情報が正しく音声データに変換される可能性を高めることができる音声変換システムを提供することを目的とする。
【課題を解決するための手段】
【０００９】
上記目的を達成するために本発明は、
テキストデータからなる氏名情報を音声データに変換する音声変換システムであって、
漢字からなる氏名情報を取り込む漢字情報取込手段と、
仮名文字からなる氏名情報を取り込む仮名文字情報取込手段と、
漢字からなる氏名情報の音声データが登録されたデータベースと、
前記漢字情報取込手段にて取り込まれた氏名情報の音声データを前記データベースから検索する検索手段と、
前記検索手段にて検索された音声データをテキストデータに変換するテキストデータ変換手段と、
前記仮名文字情報取込手段にて取り込まれた氏名情報と、前記テキストデータ変換手段にて変換されたテキストデータとを照合する氏名情報照合手段と、
前記氏名情報照合手段における照合の結果、両者が一致した場合、前記検索手段にて検索された音声データを出力し、両者が一致しない場合、前記仮名文字情報取込手段にて取り込まれた氏名情報を音声データに変換して出力する音声データ変換手段とを有する。
【００１０】
また、前記テキストデータ変換手段にて変換されたテキストデータに拗音のための小文字が含まれている場合、該小文字を大文字に変換する文字変換手段を有し、
前記氏名情報照合手段は、前記仮名文字情報取込手段にて取り込まれた氏名情報と、前記文字変換手段にて変換されたテキストデータとを照合することを特徴とする。
【００１１】
また、テキストデータからなる氏名情報を音声データに変換する音声変換システムであって、
漢字からなる氏名情報を取り込む漢字情報取込手段と、
仮名文字からなる氏名情報を取り込む仮名文字情報取込手段と、
漢字からなる氏名情報の読み方が、そのアクセント及びイントネーションを含めた状態で登録されたデータベースと、
前記漢字情報取込手段にて取り込まれた氏名情報の読み方を前記データベースから検索する検索手段と、
前記仮名文字情報取込手段にて取り込まれた氏名情報と、前記検索手段にて検索された読み方とを照合する氏名情報照合手段と、
前記氏名情報照合手段における照合の結果、両者が一致した場合、前記検索手段にて検索された読み方を音声データに変換し、両者が一致しない場合、前記仮名文字情報取込手段にて取り込まれた氏名情報を音声データに変換する音声データ変換手段とを有する。
【００１２】
また、前記検索手段にて検索された読み方に拗音のための小文字が含まれている場合、該小文字を大文字に変換する文字変換手段を有し、
前記氏名情報照合手段は、前記仮名文字情報取込手段にて取り込まれた氏名情報と、前記文字変換手段にて変換された読み方とを照合することを特徴とする。
【００１３】
上記のように構成された本発明においては、漢字情報取込手段において漢字からなる氏名情報が取り込まれ、また、仮名文字情報取込手段において仮名文字からなる氏名情報が取り込まれると、まず、検索手段において、漢字からなる氏名情報の音声データが登録されたデータベースから、漢字情報取込手段にて取り込まれた氏名情報の音声データが検索される。次に、テキストデータ変換手段において、検索手段にて検索された音声データがテキストデータに変換され、氏名情報照合手段において、仮名文字情報取込手段にて取り込まれた氏名情報と、テキストデータ変換手段にて変換されたテキストデータとが照合される。その後、音声データ変換手段において、氏名情報照合手段における照合の結果、両者が一致した場合は、検索手段にて検索された音声データが出力され、また、両者が一致しない場合は、仮名文字情報取込手段にて取り込まれた氏名情報が音声データに変換されて出力される。
【００１４】
このように、漢字情報取込手段にて取り込まれた漢字からなる氏名情報の読み方が、仮名文字情報取込手段にて取り込まれた仮名文字からなる氏名情報と一致した場合に、漢字情報取込手段にて取り込まれた漢字からなる氏名情報の音声データが出力され、また、漢字情報取込手段にて取り込まれた漢字からなる氏名情報の読み方と、仮名文字情報取込手段にて取り込まれた仮名文字からなる氏名情報とが一致しない場合に、仮名文字情報取込手段にて取り込まれた氏名情報が音声データに変換されて出力されるので、漢字情報取込手段にて取り込まれた漢字からなる氏名情報の読み方が正しい場合はその音声データが出力され、また、漢字情報取込手段にて取り込まれた漢字からなる氏名情報の読み方が正しくない場合は仮名文字からなる氏名情報が音声データとして出力されることになり、それにより、氏名情報が正しく音声データに変換される可能性が高まる。
【００１５】
また、文字変換手段において、テキストデータ変換手段にて変換されたテキストデータに拗音のための小文字が含まれている場合に、その小文字が大文字に変換され、氏名情報照合手段において、仮名文字情報取込手段にて取り込まれた氏名情報と、文字変換手段にて変換されたテキストデータとが照合されれば、仮名文字からなる氏名情報に拗音が含まれており、その拗音のための小文字が大文字として記載されている場合においても、氏名情報が正しく音声データに変換される可能性が高まる。
【００１６】
また、漢字情報取込手段において漢字からなる氏名情報が取り込まれ、また、仮名文字情報取込手段において仮名文字からなる氏名情報が取り込まれると、まず、検索手段において、漢字からなる氏名情報の読み方が、そのアクセント及びイントネーションを含めた状態で登録されたデータベースから、漢字情報取込手段にて取り込まれた氏名情報の読み方が検索される。次に、氏名情報照合手段において、仮名文字情報取込手段にて取り込まれた氏名情報と、検索手段にて検索された読み方とが照合される。その後、音声データ変換手段において、氏名情報照合手段における照合の結果、両者が一致した場合は、検索手段にて検索された読み方が音声データに変換され、また、両者が一致しない場合は、仮名文字情報取込手段にて取り込まれた氏名情報が音声データに変換される。
【００１７】
このように、漢字情報取込手段にて取り込まれた漢字からなる氏名情報の読み方が、仮名文字情報取込手段にて取り込まれた仮名文字からなる氏名情報と一致した場合に、漢字情報取込手段にて取り込まれた漢字からなる氏名情報の読み方が音声データに変換され、また、漢字情報取込手段にて取り込まれた漢字からなる氏名情報の読み方と、仮名文字情報取込手段にて取り込まれた仮名文字からなる氏名情報とが一致しない場合に、仮名文字情報取込手段にて取り込まれた氏名情報が音声データに変換されるので、漢字情報取込手段にて取り込まれた漢字からなる氏名情報の読み方が正しい場合はその読み方が音声データに変換され、また、漢字情報取込手段にて取り込まれた漢字からなる氏名情報の読み方が正しくない場合は仮名文字からなる氏名情報が音声データに変換されることになり、それにより、氏名情報が正しく音声データに変換される可能性が高まる。
【００１８】
また、文字変換手段において、検索手段にて検索された読み方に拗音のための小文字が含まれている場合に、その小文字が大文字に変換され、氏名情報照合手段において、仮名文字情報取込手段にて取り込まれた氏名情報と、文字変換手段にて変換された読み方とが照合されれば、仮名文字からなる氏名情報に拗音が含まれており、その拗音のための小文字が大文字として記載されている場合においても、氏名情報が正しく音声データに変換される可能性が高まる。
【発明の効果】
【００１９】
以上説明したように本発明においては、漢字情報取込手段にて取り込まれた漢字からなる氏名情報の読み方が、仮名文字情報取込手段にて取り込まれた仮名文字からなる氏名情報と一致した場合は、漢字情報取込手段にて取り込まれた漢字からなる氏名情報の音声データが出力され、また、漢字情報取込手段にて取り込まれた漢字からなる氏名情報の読み方と、仮名文字情報取込手段にて取り込まれた仮名文字からなる氏名情報とが一致しない場合は、仮名文字情報取込手段にて取り込まれた氏名情報が音声データに変換されて出力される構成としたため、漢字情報取込手段にて取り込まれた漢字からなる氏名情報の読み方が正しい場合はその音声データが出力され、また、漢字情報取込手段にて取り込まれた漢字からなる氏名情報の読み方が正しくない場合は仮名文字からなる氏名情報が音声データとして出力されることになり、それにより、氏名情報が正しく音声データに変換される可能性を高めることができる。
【００２０】
また、テキストデータ変換手段にて変換されたテキストデータに拗音のための小文字が含まれている場合、その小文字を大文字に変換する文字変換手段を設け、氏名情報照合手段において、仮名文字情報取込手段にて取り込まれた氏名情報と、文字変換手段にて変換されたテキストデータとを照合する構成としたものにおいては、仮名文字からなる氏名情報に拗音が含まれており、その拗音のための小文字が大文字として記載されている場合においても、氏名情報が正しく音声データに変換される可能性を高めることができる。
【００２１】
また、漢字情報取込手段にて取り込まれた漢字からなる氏名情報の読み方が、仮名文字情報取込手段にて取り込まれた仮名文字からなる氏名情報と一致した場合は、漢字情報取込手段にて取り込まれた漢字からなる氏名情報の読み方が音声データに変換され、また、漢字情報取込手段にて取り込まれた漢字からなる氏名情報の読み方と、仮名文字情報取込手段にて取り込まれた仮名文字からなる氏名情報とが一致しない場合は、仮名文字情報取込手段にて取り込まれた氏名情報が音声データに変換される構成としたものにおいても、漢字情報取込手段にて取り込まれた漢字からなる氏名情報の読み方が正しい場合はその読み方が音声データに変換され、また、漢字情報取込手段にて取り込まれた漢字からなる氏名情報の読み方が正しくない場合は仮名文字からなる氏名情報が音声データに変換されることになり、それにより、氏名情報が正しく音声データに変換される可能性を高めることができる。
【００２２】
また、検索手段にて検索された読み方に拗音のための小文字が含まれている場合、その小文字を大文字に変換する文字変換手段を設け、氏名情報照合手段において、仮名文字情報取込手段にて取り込まれた氏名情報と、文字変換手段にて変換された読み方とを照合する構成としたものにおいては、仮名文字からなる氏名情報に拗音が含まれており、その拗音のための小文字が大文字として記載されている場合においても、氏名情報が正しく音声データに変換される可能性を高めることができる。
【発明を実施するための最良の形態】
【００２３】
以下に、本発明の実施の形態について図面を参照して説明する。
【００２４】
（第１の実施の形態）
図１は、本発明の音声変換システムの第１の実施の形態を示す図である。
【００２５】
本形態は図１に示すように、漢字情報取込部１０と、仮名文字情報取込部２０と、氏名辞書データベース３０と、検索手段である音声データ検索部４０と、テキストデータ変換部５０と、文字変換部６０と、氏名情報照合部７０と、音声データ変換部８０とから構成されている。
【００２６】
漢字情報取込部１０は、帳票デザインツールで帳票を設計した際に作成された設計用の顧客データのうち、漢字からなる氏名情報を取り込む。
【００２７】
仮名文字情報取込部２０は、帳票デザインツールで帳票を設計した際に作成された設計用の顧客データのうち、ふりがな等の仮名文字からなる氏名情報を取り込む。
【００２８】
氏名辞書データベース３０は、漢字からなる氏名情報とその音声データとが対応づけて登録されたデータベースである。
【００２９】
音声データ検索部４０は、漢字情報取込部１０にて取り込まれた氏名情報の音声データを氏名辞書データベース３０から検索する。
【００３０】
テキストデータ変換部５０は、音声データ検索部４０にて検索された音声データをテキストデータに変換する。
【００３１】
文字変換部６０は、テキストデータ変換部５０にて変換されたテキストデータに拗音のための小文字が含まれている場合、その小文字を大文字に変換する。
【００３２】
氏名情報照合部７０は、仮名文字情報取込部２０にて取り込まれた氏名情報と、テキストデータ変換部５０にて変換されたテキストデータ、あるいは、文字変換部６０にて変換されたテキストデータとを照合する。
【００３３】
音声データ変換部８０は、氏名情報照合部７０における照合の結果、両者が一致した場合、音声データ検索部４０にて検索された音声データを出力し、また、両者が一致しない場合、仮名文字情報取込部２０にて取り込まれた氏名情報を音声データに変換して出力する。
【００３４】
以下に、上記のように構成された音声変換システムにおける氏名情報の音声データへの変換処理について説明する。
【００３５】
図２は、図１に示した音声変換システムにおける氏名情報の音声データへの変換処理を説明するためのフローチャートである。
【００３６】
漢字情報取込部１０において、帳票デザインツールで帳票を設計した際に作成された設計用の顧客データのうち、漢字からなる氏名情報が取り込まれ、また、仮名文字情報取込部２０において、帳票デザインツールで帳票を設計した際に作成された設計用の顧客データのうち、ふりがな等の仮名文字からなる氏名情報が取り込まれると（ステップＳ１）、まず、音声データ検索部４０において、漢字からなる氏名情報の音声データが登録された氏名辞書データベース３０が参照され、漢字情報取込部１０にて取り込まれた氏名情報の音声データが検索される（ステップＳ２）。なお、氏名辞書データベース３０には、漢字からなる氏名情報とその氏名情報特有のアクセントやイントネーションを有してなる音声データとが対応づけて登録されており、音声データ検索部４０において、漢字情報取込部１０にて取り込まれた漢字からなる氏名情報に対応づけられた音声データが検索されることになる。また、漢字情報取込部１０及び仮名文字情報取込部２０においては、ＣＭＴやＭＯ等の記録媒体に記録されて供給され、その後、ホストやサーバ等に読み込まれた顧客データを用いて、この顧客データのうち、漢字からなる氏名情報またはふりがな等の仮名文字からなる氏名情報を取り込むことも考えられる。また、スキャナ機能を具備し、帳票等に記載された氏名情報のうち、漢字からなる氏名情報または漢字に付与されたふりがな等の仮名文字からなる氏名情報を取り込むことも考えられる。
【００３７】
図３は、図１に示した音声変換システムにて音声データに変換される氏名情報が記載された帳票の一例を示す図である。
【００３８】
図３に示すように、図１に示した音声変換システムにて適用可能な帳票には、漢字からなる氏名情報１と、そのふりがなであって仮名文字からなる氏名情報２とが記載されており、この漢字からなる氏名情報１が漢字情報取込部１０にて取り込まれ、また、仮名文字からなる氏名情報２が仮名文字情報取込部２０にて取り込まれることになる。
【００３９】
音声データ検索部４０における検索の結果、漢字情報取込部１０にて取り込まれた氏名情報の音声データが氏名辞書データベース３０に登録されている場合は（ステップＳ３）、テキストデータ変換部５０において、その音声データがテキストデータに変換される（ステップＳ４）。
【００４０】
次に、氏名情報照合部７０において、仮名文字情報取込部２０にて取り込まれた氏名情報と、テキストデータ変換部５０にて変換されたテキストデータとが照合され（ステップＳ５）、仮名文字情報取込部２０にて取り込まれた氏名情報と、テキストデータ変換部５０にて変換されたテキストデータとが一致した場合、音声データ検索部４０にて氏名辞書データベース３０から検索された音声データが、帳票等に記載された氏名情報の音声データとして音声データ変換部８０から出力される（ステップＳ６）。ここで、音声データ検索部４０にて氏名辞書データベース３０から検索された音声データは、漢字からなる氏名情報特有のアクセントやイントネーションを有してなるものであるため、漢字情報取込部１０にて取り込まれた漢字からなる氏名情報に合ったアクセント及びイントネーションを有する音声データが音声データ変換部８０から出力されることになる。
【００４１】
また、氏名情報照合部７０において、仮名文字情報取込部２０にて取り込まれた氏名情報と、テキストデータ変換部５０にて変換されたテキストデータとが照合された結果、仮名文字情報取込部２０にて取り込まれた氏名情報と、テキストデータ変換部５０にて変換されたテキストデータとが一致しなかった場合は、まず、氏名情報照合部７０において、テキストデータ変換部５０にて変換されたテキストデータに拗音のための小文字が含まれているかどうかが判断され（ステップＳ７）、拗音のための小文字が含まれている場合、文字変換部６０において、その小文字が大文字に変換され（ステップＳ８）、氏名情報照合部７０において、仮名文字情報取込部２０にて取り込まれた氏名情報と、文字変換部６０にて拗音のための小文字が大文字に変換されたテキストデータとが照合される（ステップＳ９）。
【００４２】
仮名文字情報取込部２０にて取り込まれた氏名情報と、文字変換部６０にて拗音のための小文字が大文字に変換されたテキストデータとが照合された結果、仮名文字情報取込部２０にて取り込まれた氏名情報と、文字変換部６０にて拗音のための小文字が大文字に変換されたテキストデータとが一致した場合は、音声データ検索部４０にて氏名辞書データベース３０から検索された音声データが、帳票等に記載された氏名情報の音声データとして音声データ変換部８０から出力され、また、仮名文字情報取込部２０にて取り込まれた氏名情報と、文字変換部６０にて拗音のための小文字が大文字に変換されたテキストデータとが一致しない場合は、音声データ変換部８０において、仮名文字情報取込部２０にて取り込まれた氏名情報が音声データに変換されて出力される（ステップＳ１０）。
【００４３】
また、ステップＳ３において、漢字情報取込部１０にて取り込まれた氏名情報の音声データが氏名辞書データベース３０に登録されていないと判断された場合や、ステップＳ７において、テキストデータ変換部５０にて変換されたテキストデータに拗音のための小文字が含まれていないと判断された場合は、音声データ変換部８０において、仮名文字情報取込部２０にて取り込まれた氏名情報が音声データに変換されて出力される。
【００４４】
また、漢字情報取込部１０にて漢字からなる氏名情報が取り込まれなかった場合は、仮名文字情報取込部２０にて取り込まれた仮名文字からなる氏名情報が音声データ変換部８０にて音声データに変換されて出力され、また、仮名文字情報取込部２０にて仮名文字からなる氏名情報が取り込まれなかった場合は、音声データ検索部４０にて氏名辞書データベース３０から検索された音声データが音声データ変換部８０から出力されることになる。
【００４５】
このようにして、音声データ変換部８０から出力された氏名情報の音声データは、その後、例えば、電子ドキュメントに埋め込まれること等が考えられ、それにより、電子ドキュメント化された文書がパーソナルな電子ドキュメントとして提供されることになる。
【００４６】
（第２の実施の形態）
図４は、本発明の音声変換システムの第２の実施の形態を示す図である。
【００４７】
本形態は図４に示すように、漢字情報取込部１１０と、仮名文字情報取込部１２０と、氏名辞書データベース１３０と、検索手段である読み方検索部１４０と、文字変換部１６０と、氏名情報照合部１７０と、音声データ変換部１８０とから構成されている。
【００４８】
漢字情報取込部１１０は、帳票デザインツールで帳票を設計した際に作成された設計用の顧客データのうち、漢字からなる氏名情報を取り込む。
【００４９】
仮名文字情報取込部１２０は、帳票デザインツールで帳票を設計した際に作成された設計用の顧客データのうち、ふりがな等の仮名文字からなる氏名情報を取り込む。
【００５０】
氏名辞書データベース１３０は、漢字からなる氏名情報に対応づけてその読み方が、氏名情報特有のアクセントやイントネーションを含んだ状態で登録されたデータベースである。
【００５１】
読み方検索部１４０は、漢字情報取込部１１０にて取り込まれた氏名情報の読み方を氏名辞書データベース１３０から検索する。
【００５２】
文字変換部１６０は、読み方検索部１４０にて検索された読み方に拗音のための小文字が含まれている場合、その小文字を大文字に変換する。
【００５３】
氏名情報照合部１７０は、仮名文字情報取込部１２０にて取り込まれた氏名情報と、読み方検索部１４０にて検索された読み方、あるいは、文字変換部１６０にて変換された読み方とを照合する。
【００５４】
音声データ変換部１８０は、氏名情報照合部１７０における照合の結果、両者が一致した場合、読み方検索部１４０にて検索された読み方を音声データに変換して出力し、また、両者が一致しない場合、仮名文字情報取込部１２０にて取り込まれた氏名情報を音声データに変換して出力する。
【００５５】
以下に、上記のように構成された音声変換システムにおける氏名情報の音声データへの変換処理について説明する。
【００５６】
図５は、図４に示した音声変換システムにおける氏名情報の音声データへの変換処理を説明するためのフローチャートである。
【００５７】
漢字情報取込部１１０において、帳票デザインツールで帳票を設計した際に作成された設計用の顧客データのうち、漢字からなる氏名情報が取り込まれ、また、仮名文字情報取込部１２０において、帳票デザインツールで帳票を設計した際に作成された設計用の顧客データのうち、ふりがな等の仮名文字からなる氏名情報が取り込まれると（ステップＳ２１）、まず、読み方検索部１４０において、漢字からなる氏名情報の読み方が登録された氏名辞書データベース１３０が参照され、漢字情報取込部１１０にて取り込まれた氏名情報の読み方が検索される（ステップＳ２２）。なお、氏名辞書データベース１３０には、漢字からなる氏名情報と、その氏名情報特有のアクセントやイントネーションを含む読み方とが対応づけて登録されており、読み方検索部１４０において、漢字情報取込部１１０にて取り込まれた漢字からなる氏名情報に対応づけられた読み方が検索されることになる。また、漢字情報取込部１１０及び仮名文字情報取込部１２０においては、ＣＭＴやＭＯ等の記録媒体に記録されて供給され、その後、ホストやサーバ等に読み込まれた顧客データを用いて、この顧客データのうち、漢字からなる氏名情報またはふりがな等の仮名文字からなる氏名情報を取り込むことも考えられる。また、スキャナ機能を具備し、帳票等に記載された氏名情報のうち、漢字からなる氏名情報または漢字に付与されたふりがな等の仮名文字からなる氏名情報を取り込むことも考えられる。
【００５８】
読み方検索部１４０における検索の結果、漢字情報取込部１１０にて取り込まれた氏名情報の読み方が氏名辞書データベース１３０に登録されている場合は（ステップＳ２３）、氏名情報照合部１７０において、仮名文字情報取込部１２０にて取り込まれた氏名情報と、読み方検索部１４０にて氏名辞書データベース１３０から検索された読み方とが照合され（ステップＳ２４）、仮名文字情報取込部１２０にて取り込まれた氏名情報と、読み方検索部１４０にて氏名辞書データベース１３０から検索された読み方とが一致した場合、音声データ変換部１８０において、読み方検索部１４０にて氏名辞書データベース１３０から検索された読み方が音声データに変換され、帳票等に記載された氏名情報の音声データとしてから出力される（ステップＳ２５）。ここで、読み方検索部１４０にて氏名辞書データベース１３０から検索された読み方は、漢字からなる氏名情報特有のアクセントやイントネーションを含むものであるため、音声データ変換部１８０においては、そのアクセントやイントネーションを含んで読み方を音声データに変換することになる。そのため、音声データ変換部１８０において変換された音声データは、漢字情報取込部１１０にて取り込まれた漢字からなる氏名情報に合ったアクセント及びイントネーションを有するものとなる。
【００５９】
また、氏名情報照合部１７０において、仮名文字情報取込部１２０にて取り込まれた氏名情報と、読み方検索部１４０にて氏名辞書データベース１３０から検索された読み方とが照合された結果、仮名文字情報取込部１２０にて取り込まれた氏名情報と、読み方検索部１４０にて氏名辞書データベース１３０から検索された読み方とが一致しなかった場合は、まず、氏名情報照合部１７０において、読み方検索部１４０にて検索された読み方に拗音のための小文字が含まれているかどうかが判断され（ステップＳ２６）、拗音のための小文字が含まれている場合、文字変換部１６０において、その小文字が大文字に変換され（ステップＳ２７）、氏名情報照合部１７０において、仮名文字情報取込部１２０にて取り込まれた氏名情報と、文字変換部１６０にて拗音のための小文字が大文字に変換された読み方とが照合される（ステップＳ２８）。
【００６０】
仮名文字情報取込部１２０にて取り込まれた氏名情報と、文字変換部１６０にて拗音のための小文字が大文字に変換された読み方とが照合された結果、仮名文字情報取込部１２０にて取り込まれた氏名情報と、文字変換部１６０にて拗音のための小文字が大文字に変換された読み方とが一致した場合は、音声データ変換部１８０において、読み方検索部１４０にて氏名辞書データベース１３０から検索された読み方が音声データに変換され、帳票等に記載された氏名情報の音声データとしてから出力され、また、仮名文字情報取込部１２０にて取り込まれた氏名情報と、文字変換部１６０にて拗音のための小文字が大文字に変換された読み方とが一致しない場合は、音声データ変換部８０において、仮名文字情報取込部２０にて取り込まれた氏名情報が音声データに変換されて出力される（ステップＳ２９）。
【００６１】
また、ステップＳ２３において、漢字情報取込部１１０にて取り込まれた氏名情報の読み方が氏名辞書データベース１３０に登録されていないと判断された場合や、ステップＳ２６において、読み方検索部１４０にて検索された読み方に拗音のための小文字が含まれていないと判断された場合は、音声データ変換部１８０において、仮名文字情報取込部１２０にて取り込まれた氏名情報が音声データに変換されて出力される。
【００６２】
また、漢字情報取込部１１０にて漢字からなる氏名情報が取り込まれなかった場合は、仮名文字情報取込部１２０にて取り込まれた仮名文字からなる氏名情報が音声データ変換部１８０にて音声データに変換されて出力され、また、仮名文字情報取込部１２０にて仮名文字からなる氏名情報が取り込まれなかった場合は、音声データ変換部１８０において、読み方検索部１４０にて氏名辞書データベース１３０から検索された読み方が音声データに変換されて出力されることになる。
【００６３】
このようにして、音声データ変換部１８０から出力された氏名情報の音声データは、その後、例えば、電子ドキュメントに埋め込まれること等が考えられ、それにより、電子ドキュメント化された文書がパーソナルな電子ドキュメントとして提供されることになる。
【図面の簡単な説明】
【００６４】
【図１】本発明の音声変換システムの第１の実施の形態を示す図である。
【図２】図１に示した音声変換システムにおける氏名情報の音声データへの変換処理を説明するためのフローチャートである。
【図３】図１に示した音声変換システムにて音声データに変換される氏名情報が記載された帳票の一例を示す図である。
【図４】本発明の音声変換システムの第２の実施の形態を示す図である。
【図５】図４に示した音声変換システムにおける氏名情報の音声データへの変換処理を説明するためのフローチャートである。
【符号の説明】
【００６５】
１，２    氏名情報
１０，１１０    漢字情報取込部
２０，１２０    仮名文字情報取込部
３０，１３０    氏名辞書データベース
４０    音声データ変換部
５０    テキストデータ変換部
６０，１６０    文字変換部
７０，１７０    氏名情報照合部
８０，１８０    音声データ変換部
１４０    読み方検索部
【図１】
2005242112.tif 000003
【図２】
2005242112.tif 000004
【図３】
2005242112.tif 000005
【図４】
2005242112.tif 000006
【図５】
2005242112.tif 000007